【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
画像を選択する画像選択手段と、写真集テンプレートを選択するテンプレート選択手段と、前記テンプレート選択手段で選択した写真集テンプレートに前記画像選択手段で選択した画像を適用するレイアウト手段と、前記レイアウト手段で生成した写真集を編集する編集手段と、を備える写真集作成装置であって、
前記画像選択手段で選択した画像に含まれる被写体の顔画像を認識する画像認識手段と、
前記画像認識手段で認識した前記被写体の顔画像の特徴情報を抽出する特徴抽出手段と、
前記特徴抽出手段で抽出した前記被写体の顔画像の特徴情報を異なる画像から抽出した顔画像の特徴情報と比較して、顔画像が同じである被写体を認識する被写体認識手段と、
前記被写体認識手段で認識した被写体であって、前記写真集で使用する画像に含まれる前記被写体の全ての被写体情報を算出する算出手段と、
前記算出手段で算出した前記被写体の全ての被写体情報を記憶する被写体情報記憶手段と、
前記被写体情報記憶手段に記憶した前記被写体の全ての被写体情報を表示する表示手段とを、さらに備える、ことを特徴とする写真集作成装置。
【請求項２】
前記被写体の全ての被写体情報は、
前記写真集で使用する前記被写体のそれぞれを含む画像の枚数の情報と、
前記写真集で使用する前記画像に含まれる前記被写体のそれぞれの表示面積の情報と、
前記被写体のそれぞれの前記表示面積の総和である表示総面積の情報とを含む、ことを特徴とする請求項１に記載の写真集作成装置。
【請求項３】
前記表示手段は、前記表示総面積の情報又は前記枚数の情報を用いて、前記被写体のそれぞれの前記被写体情報を並べ替えて表示する、ことを特徴とする請求項２に記載の写真集作成装置。
【請求項４】
前記テンプレート選択手段は、
前記レイアウト手段に、候補となる前記写真集テンプレートを使用して仮のレイアウトを有する写真集を生成する、と共に、前記算出手段に、前記仮のレイアウトを有する写真集に含まれる被写体の被写体情報を算出させ、
前記表示手段は、前記仮のレイアウトを有する写真集に含まれる前記被写体情報を、前記候補となる前記写真集テンプレートに対応させて表示する、ことを特徴とする請求項１又は２に記載の写真集作成装置。
【請求項５】
前記被写体のいずれかを指定する指定手段を、さらに備え、
前記表示手段は、指定した前記被写体の前記表示総面積の情報に基づき、前記候補となる前記写真集テンプレートを並べ替えて表示する、ことを特徴とする請求項４に記載の写真集作成装置。
【請求項６】
前記被写体のいずれかを指定する指定手段を、さらに備え、
前記テンプレート選択手段は、前記算出手段に、指定した前記被写体の前記表示総面積の情報のばらつきを標準偏差を用いて算出させ、
前記表示手段は、前記表示総面積の情報の前記ばらつきを用いて、前記候補となる前記写真集テンプレートを並べ替えて表示する、ことを特徴とする請求項４に記載の写真集作成装置。
【請求項７】
編集する前記写真集のページを指定するページ指定手段と、
前記写真集のページレイアウトを選択するページレイアウト選択手段と、
前記ページ指定手段で指定した前記ページに含まれる画像の枚数を変更することなくページレイアウトが変更された複数の仮のページレイアウトを生成するページレイアウト生成手段とを、さらに備え、
前記編集手段は、
前記レイアウト手段に、前記仮のページレイアウトを使用して前記写真集の前記ページを生成させると共に、前記算出手段に、前記仮のページレイアウトで生成した前記ページに含まれる前記被写体の前記被写体情報を算出させ、
前記表示手段は、前記算出手段で算出した前記被写体情報を、前記複数の仮のページレイアウトに対応して表示する、ことを特徴とする請求項１乃至３のいずれか一項に記載の写真集作成装置。
【請求項８】
前記被写体のいずれかを指定する指定手段を、さらに備え、
前記表示手段は、指定した前記被写体の前記表示総面積の情報を用いて、前記仮のページレイアウトを並べ替えて表示する、ことを特徴とする請求項７に記載の写真集作成装置。
【請求項９】
前記被写体のいずれかを指定する指定手段を、さらに備え、
前記編集手段は、前記算出手段に、指定した前記被写体の前記表示総面積の情報のばらつきを標準偏差を用いて算出させ、
前記表示手段は、前記指定した被写体の前記表示総面積の情報の前記ばらつきに基づき、前記仮のページレイアウトを並べ替えて表示する、ことを特徴とする請求項７に記載の写真集作成装置。
【請求項１０】
前記写真集に使用する画像を追加する追加手段と、
前記写真集に使用する画像を削除する削除手段と、
前記追加手段又は前記削除手段によるいずれかの処理を実行させる画像変更手段とを、さらに備え、
前記編集手段は、前記算出手段に、前記画像変更手段で実行された処理の結果として生成された前記写真集から前記被写体情報を算出させ、
前記表示手段は、前記被写体情報を表示する、ことを特徴とする請求項１乃至３のいずれか一項に記載の写真集作成装置。
【請求項１１】
前記表示手段は、前記画像変更手段による処理前の前記表示総面積の情報と、前記画像変更手段による処理後の前記表示総面積の情報を表示する、ことを特徴とする請求項１０に記載の写真集作成装置。
【請求項１２】
前記編集手段は、前記算出手段に、前記表示総面積の情報のばらつきを標準偏差を用いて算出させ、
前記表示手段は、前記画像変更手段による処理前の前記ばらつきと、前記画像変更手段による処理後の前記ばらつきとを表示する、ことを特徴とする請求項１０又は１１に記載の写真集作成装置。
【請求項１３】
前記写真集に使用する画像から特定の画像を選択する画像選択手段と、
前記画像選択手段で選択した画像をリサイズするリサイズ手段と、
前記画像選択手段で選択した画像をトリミングするトリミング手段とを、さらに備え、
前記編集手段は、前記リサイズ手段又は前記トリミング手段の処理を実行させると共に、前記算出手段に、前記リサイズ手段又は前記トリミング手段で処理した画像から、前記被写体情報を算出させ、
前記表示手段は、前記算出手段で算出した前記被写体情報を表示する、ことを特徴とする請求項１乃至３のいずれか一項に記載の写真集作成装置。
【請求項１４】
前記表示手段は、前記編集手段による処理前の前記表示総面積の情報と、前記編集手段による処理後の前記表示総面積の情報とを表示する、ことを特徴とする請求項１３に記載の写真集作成装置。
【請求項１５】
前記編集手段は、前記算出手段に、前記表示総面積の情報のばらつきを標準偏差を用いて算出させ、
前記表示手段は、前記編集手段による処理前の前記ばらつきと、前記編集手段による処理後の前記ばらつきを表示する、ことを特徴とする請求項１３に記載の写真集作成装置。
【請求項１６】
前記表示手段は、前記被写体に対応するサムネイルを表示する、ことを特徴とする請求項１に記載の写真集作成装置。
【請求項１７】
特定の前記被写体を選択する被写体の選択手段を、さらに備え、
前記表示手段は、前記被写体の選択手段で選択した前記特定の被写体を含む画像の枠を強調して表示し、前記強調して表示した前記枠の中の前記被写体の顔画像の領域を強調して表示する、ことを特徴とする請求項１に記載の写真集作成装置。
【請求項１８】
前記表示総面積の情報が予め定めた範囲に対して小さい前記被写体と、前記表示総面積の情報が前記予め定めた範囲に対して大きい前記被写体とを抽出する被写体警告手段を、さらに備え、
前記表示手段は、前記被写体警告手段で抽出した前記被写体を強調して表示する、ことを特徴とする請求項１に記載の写真集作成装置。
【請求項１９】
前記被写体情報記憶手段は、
前記被写体の個人情報を登録する個人情報登録手段と、を備えると共に、前記被写体認識手段に、前記特徴抽出手段で抽出した前記被写体の特徴情報と前記個人情報登録手段に登録した前記個人情報から同じ被写体を特定させ、
前記表示手段は、前記被写体認識手段で特定した前記被写体の前記個人情報を表示する、ことを特徴とする請求項１に記載の写真集作成装置。
【請求項２０】
画像を選択する画像選択手段と、写真集テンプレートを選択するテンプレート選択手段と、前記テンプレート選択手段で選択した写真集テンプレートに前記画像選択手段で選択した画像を適用するレイアウト手段と、前記レイアウト手段で生成した写真集を編集する編集手段と、を備える写真集作成装置の制御方法であって、
前記写真集作成装置の画像認識手段が、前記画像選択手段で選択した前記画像に含まれる被写体の顔画像を認識する画像認識工程と、
前記写真集作成装置の特徴抽出手段が、前記画像認識工程で認識した前記被写体の顔画像の特徴情報を抽出する特徴抽出工程と、
前記写真集作成装置の被写体認識手段が、前記特徴抽出工程で抽出した前記被写体の顔画像の特徴情報を異なる画像から抽出した顔画像の特徴情報と比較して、顔画像が同じである被写体を認識する被写体認識工程と、
前記写真集作成装置の算出手段が、前記被写体認識手段で認識した被写体であって、前記写真集で使用する画像に含まれる前記被写体の全ての被写体情報を算出する算出工程と、
前記写真集作成装置の被写体情報記憶手段が、前記算出工程で算出した前記被写体の全ての被写体情報を記憶する被写体情報記憶工程と、
前記写真集作成装置の表示手段が、前記被写体情報記憶手段に記憶した前記被写体の全ての被写体情報を表示する表示工程と、を備える、ことを特徴とする写真集作成装置の制御方法。
【請求項２１】
請求項２０に記載の写真集作成装置の制御方法の各工程をコンピュータに実行させるためのプログラム。
【請求項２２】
請求項２０に記載の写真集作成装置の制御方法の各工程をコンピュータに実行させるためのプログラムが記憶されたコンピュータで読み出し可能な記憶媒体。
【手続補正２】
【補正対象書類名】明細書
【補正対象項目名】００１１
【補正方法】変更
【補正の内容】
【００１１】
上記の目的を達成するため、本発明の写真集作成装置は、画像を選択する画像選択手段と、写真集テンプレートを選択するテンプレート選択手段と、前記テンプレート選択手段で選択した写真集テンプレートに前記画像選択手段で選択した画像を適用するレイアウト手段と、前記レイアウト手段で生成した写真集を編集する編集手段と、を備える写真集作成装置であって、前記画像選択手段で選択した画像に含まれる被写体の顔画像を認識する画像認識手段と、前記画像認識手段で認識した前記被写体の顔画像の特徴情報を抽出する特徴抽出手段と、前記特徴抽出手段で抽出した前記被写体の顔画像の特徴情報を異なる画像から抽出した顔画像の特徴情報と比較して、顔画像が同じである被写体を認識する被写体認識手段と、前記被写体認識手段で認識した被写体であって、前記写真集で使用する画像に含まれる前記被写体の全ての被写体情報を算出する算出手段と、前記算出手段で算出した前記被写体の全ての被写体情報を記憶する被写体情報記憶手段と、前記被写体情報記憶手段に記憶した前記被写体の全ての被写体情報を表示する表示手段とを、さらに備える。
【手続補正３】
【補正対象書類名】明細書
【補正対象項目名】００１２
【補正方法】変更
【補正の内容】
【００１２】
また、本発明の写真集作成装置の制御方法は、画像を選択する画像選択手段と、写真集テンプレートを選択するテンプレート選択手段と、前記テンプレート選択手段で選択した写真集テンプレートに前記画像選択手段で選択した画像を適用するレイアウト手段と、前記レイアウト手段で生成した写真集を編集する編集手段と、を備える写真集作成装置の制御方法であって、前記写真集作成装置の画像認識手段が、前記画像選択手段で選択した前記画像に含まれる被写体の顔画像を認識する画像認識工程と、前記写真集作成装置の特徴抽出手段が、前記画像認識工程で認識した前記被写体の顔画像の特徴情報を抽出する特徴抽出工程と、前記写真集作成装置の被写体認識手段が、前記特徴抽出工程で抽出した前記被写体の顔画像の特徴情報を異なる画像から抽出した顔画像の特徴情報と比較して、顔画像が同じである被写体を認識する被写体認識工程と、前記写真集作成装置の算出手段が、前記被写体認識手段で認識した被写体であって、前記写真集で使用する画像に含まれる前記被写体の全ての被写体情報を算出する算出工程と、前記写真集作成装置の被写体情報記憶手段が、前記算出工程で算出した前記被写体の全ての被写体情報を記憶する被写体情報記憶工程と、前記写真集作成装置の表示手段が、前記被写体情報記憶手段に記憶した前記被写体の全ての被写体情報を表示する表示工程と、を備える。